(57)【特許請求の範囲】
【請求項１】
安全装置を備えた暖房装置（100）において、
−垂直壁に固定するのに適した背面（102）を備えたフレーム（101）；
と、
−放射素子（105）の背面（109）を前記フレームに接合するために使用されるフレーム固定手段（107、108）を備えた、装置の前面（106）を形成するガラス板からなる放射素子（105）；
と、
−放射素子を加熱する為の手段（120）を有する第１面（119）と、放射素子の背面に配置される第２面（121）を備えた支持体（118）；
とからなり、
前記装置は以下のような特徴を有する：
−固定手段（107、108）は、支持体（118）と一体の第１ブランチ（110、111）と、フレーム（101）と一体の第２ブランチ（112、113）とからなり、
−支持体の第２面は、放射素子の背面に接着されており、
−フレームは、前記固定手段によって支持体と一体に形成されている
ことを特徴とする安全装置を備えた暖房装置。
【請求項２】
フレーム（101）は、支持体（118）の第2面（121）と一体に形成されていることを特徴とする請求項１記載の安全装置を備えた暖房装置。
【請求項３】
支持体（118）は、加熱手段（120）を保持する第１ゾーン（122）と、フレーム（101）をカバーする第２ゾーン（123）からなることを特徴とする請求項２記載の安全装置を備えた暖房装置。
【請求項４】
支持体（118）は、第１ゾーン（122）を形成するのに適した第１要素（124）と、第２ゾーン（123）を形成するのに適した第２要素（125）とが一体に形成されており、第１要素と第２要素とは別個のものであることを特徴とする請求項３に記載の安全装置を備えた暖房装置。
【請求項５】
フレーム（101）は、支持体（118）の第１面（119）と一体に形成されていることを特徴とする請求項１に記載の安全装置を備えた暖房装置。
【請求項６】
支持体（118）は、加熱手段（120）を保持する第１ゾーン（126）と、フレーム（101）で覆われた第２ゾーン（127）とから成り、また、放射素子（105）の背面（109）に一体に形成されていることを特徴とする請求項５に記載の安全装置を備えた暖房装置。
【請求項７】
フレーム（101）にはブリッジ（128）が形成され、その下に支持体（118）の第１ゾーン（126）が延設されていることを特徴とする請求項６に記載の安全装置を備えた暖房装置。
【請求項８】
放射素子（105）は、ガラスで作られていることを特徴とする上記請求項１乃至請求項７のいずれかに記載の安全装置を備えた暖房装置。
【請求項９】
支持体（118）は、プラスチックフィルムからなり、加熱手段（120）は、アルミニウム・トラックであることを特徴とする上記請求項１乃至請求項８のいずれかに記載の安全装置を備えた暖房装置。
【発明の詳細な説明】
【技術分野】
【０００１】
本発明は、家庭用の暖房装置に関する。
【０００２】
具体的には、本発明は、脆性素材から作られた放射素子を備えた暖房装置に関する。
【背景技術】
【０００３】
従来の暖房装置は、垂直壁に固定された背面（後面）を含むフレームから形成されており、装置の前面（表面）を形成するガラスのような脆性素材で作られた放射素子は、背面（後面）のうちの１つが、１つまたは複数の固定手段によりフレームに接合されており、放熱素子の裏側に配備された、放熱素子を熱する手段により支持されている。
【０００４】
しかし、このような装置の放射素子を形成する材料は脆弱なため、材料が衝撃を受けた場合には破損して多数の小断片に粉砕してしまうおそれがある。放射素子の破片は、床に広がり、ユーザーが負傷する危険を派生する。
【発明の概要】
【発明が解決しようとする課題】
【０００５】
本発明は、従来技術の欠点を改善することを目的とする。
【０００６】
より具体的には、本発明は、フレーム備えた暖房装置に関するもので、背面（後面）は垂直壁に固定されるのに適しており、放射素子は、装置の前面（表面）を形成する脆性素材から作られており、フレームは、前記フレームの放射素子の背面（後面）を接合するために使用される固定手段を少なくとも１つ含み、支持体はフレームと一体となっており、放射素子を熱するための手段が第１の面に装備され、第２の面は、放射素子の背面（後面）に接合される。
【０００７】
本装置は、放射素子が破損した場合に、放射素子が支持体に接着により接合されているので、支持体の上に放射素子の断片を保持することが可能であるという利点を提供しており、また、暖房装置の上に放射素子の破損断片を貼着させたまま支持体を保持することが可能であるという利点を提供している。
ユーザーのリスクが軽減され、装置の欠陥はより簡単に取り除くことができ、とりわけより安全である。本発明の実施形態の１つは、フレームは、支持体の第2の面と一体となっている。
【０００８】
この実施形態では、支持体は、加熱手段を保持する第１ゾーンとフレームをカバーする第２ゾーンから構成されている。
【０００９】
この支持体は、フレームではなく、放射素子のみを加熱できるという利点があり、これによりフレームを過熱から守るという利点を提供している。さらに、この支持体は、起こり得る電気絶縁の問題を防止する利点も提供している。
【００１０】
この実施形態では、支持体は、第１ゾーンを形成するのに適した第１要素、第２ゾーンを形成するのに適した第２要素を一体的に備えているが、第１要素と第２要素は別個のものである。
【００１１】
本発明に係る別の実施形態では、フレームは、支持体の第１面と一体である。
【００１２】
この実施形態では、支持体は、加熱手段を保持する第１ゾーンと、フレームによってカバーされる第２ゾーンとからなり、放射素子の背面（後面）と一体的になるように形成されている。
【００１３】
この実施形態では、フレームは、支持体の第１ゾーンを下方に延設するブリッジが形成されていることが望ましい。
【００１４】
本発明の一実施形態では、固定手段は、支持体と一体の第１ブランチと、フレームと一体の第２ブランチからなる。
【００１５】
本発明の一実施形態では、放射素子は、ガラスで作られている。
【００１６】
本発明の一実施形態では、支持体がプラスチックフィルムであり、加熱手段は、アルミニウム・トラックからなる。
【００１７】
本発明は、以下の説明を精読し、添付図面を検討することにより、よく理解される。後者は、ガイダンスのためのものであり、本発明は如何なる場合もこれに限定されるものではない。
【図面の簡単な説明】
【００１８】
本発明の図面を以下に説明する。
【００１９】
【図１】本発明の一実施形態の安全装置を備えた暖房装置の概略断面平面図。
【００２０】
【図２】図１に示す実施形態のフレームが取り除かれた状態の安全装置を備えた暖房装置の概略背面図。
【００２１】
【図３】図１および図２に示したものとは別の本発明の実施形態に係る安全装置を備えた暖房装置の概略断面平面図。
【００２２】
【図４】図１、図２、図３に示したものとは別の本発明の実施形態に係る安全装置を備えた暖房装置の概略断面平面図。
【００２３】
【図５】図４に示した実施形態に係るフレームが取り除かれた安全装置を備えた暖房装置の概略背面図。
【発明を実施するための形態】
【００２４】
図１は、本発明の１つの例示的な実施形態の安全装置を備えた暖房装置（100）を示したものである。前記安全装置を備えた暖房装置（100）は、フレーム（101）からなる。フレーム101の背面（後面）102は、垂直壁に固定できるように形成されている。この例示的な実施形態では、フレーム（101）は、更に背面（後面）（102）の両側に側壁（103,104）が設けられている。例示した実施形態では、フレーム（101）には、土台（ベース）および/またはカバーが備えられている。
【００２５】
本発明に係る安全装置を備えた暖房装置（100）は、前記装置（100）の前面（表面）（106）を形成する放射素子（105）からなる。この実施形態では、放射素子（105）は、フレーム（101）をカバーする板状体からなる。放射素子（105）は、例えばガラスのような粉々に破壊される脆性素材で作られている。
【００２６】
フレーム（101）は、放射素子（105）の背面（後面）（109）を前記フレーム（101）に接合するのに使用される固定手段（107、108）を備える。この実施例では、フレーム（101）には、それぞれ放射素子（105）の背面（後面）（109）の側端（116、117）の近くに2つの固定手段（107、108）が配設される。
【００２７】
本発明の実施形態の１つでは、フレーム（101）は、放射素子（105）の背面（後面）（109）に直接接着される。別の実施形態では、フレーム（101）は、弾性（伸縮）接着手段によって放射素子（105）の背面（後面）（109）に固着される。更に他の実施形態では、フレーム（101）は、ネジまたはボルト締め手段によって放射素子（105）の背面（後面）（109）に固着される。また別の実施形態では、フレーム（101）は、溶接によって放射素子（105）の背面（後面）（109）に固着される。
【００２８】
この例示的な実施形態では、固定手段（107、108）はそれぞれ相互に向き合った状態に安定的に配置された第1ブランチ（110、111）と第２ブランチ（112、113）に形成されている。各々の固定手段（107、108）の第1ブランチ（110、111）は、放射素子（105）の背面（後面）（109）と一体に形成されており、また、第２ブランチ（112、113）は、フレーム（101）の内側面（114、115）と一体に形成されている。この例では、各々の固定手段（107、108）の第2ブランチ（112、113）は、側壁（103、104）の内側面（114、115）と一体に形成されている。固定手段（107、108）の第１ブランチ（110、111）は、最も近い放射素子（105）の側端（116,117）とは反対方向に向いている。
【００２９】
固定手段（107、108）の第１ブランチ（110、111）は、放射素子（105）の背面（後面）（109）に接着されており、第２ブランチ（112、113）はボルトによってフレーム（101）に接合されている。別の実施形態では、第１ブランチ（110、111）は、弾性接続手段、溶接、若しくは、ねじによって放射素子（105）の背面（後面）（109）と一体化されており、第２ブランチ(112, 113)は、弾性接続手段、溶接もしくは接着剤によってフレーム（101）と一体化されている。
【００３０】
図２は、図１に示す本発明の実施形態に係るフレーム（101）が取り除かれた安全装置を備えた暖房装置（100）の背面図を示している。
【００３１】
安全装置を備えた暖房装置（100）は、放射素子（105）の加熱手段（120）を持つ第１面（119）を備えた支持体（118）からなる。支持体（118）は、放射素子（105）の背面（後面）（109）よりも若干小さい表面からなることが望ましい。例えば、放射素子（105）の背面（後面）（109）と支持体（118）とは、実質的に補完する形状になる。加熱手段（120）は、実質的に均一に放射素子（105）を加熱するように、支持体（118）の上に配設される。例えば、支持体（118）は、プラスチックフィルムからなり、加熱手段（120）は例えばアルミニウム・トラックから成る。加熱手段（120）は、第２のプラスチックフィルムで覆われていればより効果的である。
【００３２】
第１面（119）の反対側となる支持体（118）の第２面（121）は、放射素子（105）の背面（後面）（109）に接着される。そのため、放射素子（105）が破損した場合でも、放射素子（105）に対する支持体（118）の第2面（121）の接着（面）が、放射素子（105）の破片を支持体（118）の上の適所に保持しておくことができる。
【００３３】
支持体（118）は、フレーム（101）と一体に形成される。このように、放射素子（105）が破壊された場合、支持体（118）と、前記支持体の第２面（121）に接着した放射素子（105）の破片とが、安全装置を備えた暖房装置（100）の上に保持されことになる。支持体（118）は、接着剤によってフレーム（101）と一体となるように形成される。
【００３４】
図１および図２に示す例では、フレーム（101）は、支持体（118）の第２面（121）と一体として形成されている。言い換えると、支持体（118）は、フレーム（101）をカバーして（覆って・守って・構成して）いる。支持体（118）は、例えば、フレーム（101）の側壁（103,104）の内側面（114、115）および／またはカバーの内側面および／またはフレーム（101）の基部（底部）をカバーして（覆って・守って・構成して）いる。この実施形態では、支持体（118）は、固定手段（107,108）の第１ブランチ（110、111）を覆っている。別の実施形態では、前記支持体（118）は、第１ブランチ（110、111）の全部または一部を覆っている。
【００３５】
図１および図２に示す例では、支持体（118）は、加熱手段（120）を保持する第１ゾーン（122）とフレーム（101）を覆う第２ゾーン（123）とからなる。このように、加熱手段（120）は、伝導によって放射素子（105）のみを加熱し、それによりフレーム（101）の過熱を防止する。この解決方法は、派生するであろう電気の絶縁に関する問題も回避することができる。例では、第１ゾーン（122）は、実質的に中央にあり、第２ゾーン（123）は、支持体（118）の端部にある。
【００３６】
図３に示す別の実施例では、支持体（118）は、第１ゾーン（122）を形成するのに適した第１要素（124）と、第２ゾーン（123）を形成するのに適した第２要素（125）とにより一体的に形成されている。第１要素（124）と第２要素（125）は別体のものである。この例では、第１要素（124）は、第２要素（125）に接着されている。ここでは、支持体（118）の第１要素（124）は、一段階で放射素子（105）の背面（後面）に接着され、第２要素（125）は、次の段階でフレーム（101）と第１要素（124）とに接着される、これにより、装置の製造を簡略化することが可能となる。
【００３７】
図４および図５に示す本発明の別の実施形態では、フレーム（101）は、支持体（118）の第１面（119）と一体に形成されている。例えば、フレーム（101）は、前記支持体（118）の前記第１面（119）に接着されている。この例では、固定手段（107、108）の各々の第１ブランチ（110、111）は、支持体（118）の第１面（119）と一体となっている。このように、第１ブランチ（110、111）は、放射素子（105）の背面（後面）（109）に一体化された第１の部分を形成し、第２の部分は、支持体（118）の第１面（119）に一体化されたものとなる。
【００３８】
図４および図５に示す例では、支持体（118）は、加熱手段（120）を保持する第１ゾーン（126）と、フレーム（101）で覆われた第２ゾーン（127）とから成るとともに、また、放射素子（105）の背面（後面）（109）をカバーする（覆う）。ここでは、加熱手段（120）は、放射素子（105）とフレーム（101）とでははく、放射素子（105）のみを伝導によって加熱し、フレーム（101）の過熱は回避している。この解決方法では、派生するであろう電気の絶縁に関する問題も回避することができる。
【００３９】
図４および図５に示す例では、固定手段（107,108）にそれぞれはブリッジ（128）が形成され、その下に支持体（118）の第1ゾーン（126）が延設される。したがって、加熱手段（120）により加熱される領域が増加する。
【００４０】
この安全装置を備えた暖房装置（100）は、衝撃により放射素子（105）が破損したような場合に特に優れている。支持体（118）の放射素子（105）との接着（剤・面）は、放射素子（105）の破片を支持体（118）の上の適所に保持しておくことを可能にしており、また、支持体（118）を固定手段（107、108）の第１ブランチ（110、111）に、または第１ブランチ（110、111）を支持体（118）に接合するための接着剤が、支持体（118）への保持を助け、よって損壊した放射素子（105）の破片を装置（100）上に留めている。このように、放射素子（105）の破損した破片を床に飛散させないため、ユーザーを怪我させるリスクが減少される。
【図１】
0006381630.tif 000002
【図２】
0006381630.tif 000003
【図３】
0006381630.tif 000004
【図４】
0006381630.tif 000005
【図５】
0006381630.tif 000006